【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
基地局におけるワイヤレス通信のための方法であって、
第１のダウンリンク送信について受信されたフィードバックを分類することと、ここで、前記第１のダウンリンク送信は、共有無線周波数スペクトル帯域上で実行され、前記フィードバックが複数のフィードバックカテゴリーのうちの１つに分類され、前記分類することが、前記第１のダウンリンク送信についての干渉パラメータに少なくとも部分的に基づく、
後続のダウンリンク送信についての干渉パラメータを識別することと、
前記後続のダウンリンク送信についての前記識別された干渉パラメータに関連するフィードバックカテゴリーに分類されたフィードバックに少なくとも部分的に基づいて、前記後続のダウンリンク送信をスケジュールすることと
を備え、
前記後続のダウンリンク送信についての前記干渉パラメータを識別することが、
少なくとも１つの他の基地局から送信ステータスを受信することと、
前記送信ステータスに少なくとも部分的に基づいて、前記後続のダウンリンク送信についての前記干渉パラメータを識別することと
を備えることによって特徴付けられ、
ここで、前記送信ステータスが、
チャネル使用ビーコン信号（ＣＵＢＳ）、または物理フレームフォーマットインジケータチャネル（ＰＦＦＩＣＨ）、あるいはそれらの組合せを受信すること
を備える、方法。
【請求項２】
前記第１のダウンリンク送信についての前記干渉パラメータが、再利用１モードでの送信、または時間領域多重化（ＴＤＭ）モードでの送信のうちの１つを備える、請求項１に記載の方法。
【請求項３】
前記第１のダウンリンク送信について受信されたフィードバックを分類することが、
前記再利用１モードでの前記第１のダウンリンク送信の送信を備える前記第１のダウンリンク送信についての前記干渉パラメータに少なくとも部分的に基づいて、前記第１のダウンリンク送信について受信されたフィードバックを第１のフィードバックカテゴリーに分類すること
を備える、請求項２に記載の方法。
【請求項４】
前記ＴＤＭモードでの第２のダウンリンク送信の送信を備える前記第２のダウンリンク送信についての干渉パラメータに少なくとも部分的に基づいて、前記第２のダウンリンク送信についてのフィードバックを第２のフィードバックカテゴリーに分類すること
をさらに備える、請求項３に記載の方法。
【請求項５】
前記フィードバックが、チャネル状態情報（ＣＳＩ）、または肯定応答／否定応答（ＡＣＫ／ＮＡＣＫ）フィードバック、あるいはそれらの組合せを備える、請求項１に記載の方法。
【請求項６】
前記後続のダウンリンク送信をスケジュールすることが、
前記後続のダウンリンク送信のための変調およびコーディング方式（ＭＣＳ）を選択すること
を備える、請求項１に記載の方法。
【請求項７】
前記第１のダウンリンク送信についての前記干渉パラメータを識別すること
をさらに備える、請求項１に記載の方法。
【請求項８】
前記第１のダウンリンク送信についての前記干渉パラメータを識別することが、
前記第１のダウンリンク送信についての前記フィードバックとともに前記干渉パラメータの指示を受信すること
を備える、請求項７に記載の方法。
【請求項９】
前記基地局および前記少なくとも１つの他の基地局が、同じパブリックランドモバイルネットワーク（ＰＬＭＮ）に属する、請求項１に記載の方法。
【請求項１０】
前記複数のフィードバックカテゴリーのうちの各フィードバックカテゴリーについて、別個のハイブリッド自動再送要求（ＨＡＲＱ）フィードバックアウターループまたは別個のチャネル状態情報（ＣＳＩ）フィードバックアウターループのうちの少なくとも１つを維持すること
をさらに備え、
ここにおいて、前記後続のダウンリンク送信が、前記後続のダウンリンク送信についての前記干渉パラメータに関連する前記フィードバックカテゴリーに関連する、ＨＡＲＱフィードバックアウターループとＣＳＩフィードバックアウターループの一方または両方に少なくとも部分的に基づいてスケジュールされる、または
前記第１のダウンリンク送信について受信された前記フィードバックを第１のフィードバックカテゴリーに分類すると、第２のフィードバックカテゴリーに関連するハイブリッド自動再送要求（ＨＡＲＱ）フィードバックアウターループ、または前記第２のカテゴリーに関連するチャネル状態情報（ＣＳＩ）フィードバックアウターループのうちの少なくとも１つの少なくとも１つの更新をスキップすること
をさらに備える、請求項１に記載の方法。
【請求項１１】
基地局におけるワイヤレス通信のための装置であって、先行する請求項のうちのいずれか一項に記載のステップを実行するように構成された手段
を備える、装置。
【請求項１２】
ユーザ機器（ＵＥ）におけるワイヤレス通信のための方法であって、
共有無線周波数スペクトル帯域上で受信された第１のダウンリンク送信についての干渉パラメータを識別することと、
前記第１のダウンリンク送信についてのフィードバックを生成することと、
基地局に、前記干渉パラメータの指示と一緒に前記フィードバックを送ることと
を備え、
前記干渉パラメータを識別することが、
少なくとも１つのネイバリング基地局から送信ステータスを受信することと、
前記送信ステータスに少なくとも部分的に基づいて、前記第１のダウンリンク送信についての前記干渉パラメータを識別することと
を備えることによって特徴付けられ、
ここで、前記送信ステータスが、
チャネル使用ビーコン信号（ＣＵＢＳ）、または物理フレームフォーマットインジケータチャネル（ＰＦＦＩＣＨ）、あるいはそれらの組合せを受信すること
を備える、方法。
【請求項１３】
前記フィードバックとともに前記基地局に、前記少なくとも１つのネイバリング基地局からの前記送信ステータスを送ること
をさらに備える、請求項１２に記載の方法。
【請求項１４】
前記干渉パラメータを識別することが、
前記第１のダウンリンク送信に関連する信号対雑音比（ＳＮＲ）を測定することと、
前記測定されたＳＮＲに少なくとも部分的に基づいて、前記第１のダウンリンク送信についての前記干渉パラメータを推定することと
を備える、請求項１２に記載の方法。
【請求項１５】
ユーザ機器（ＵＥ）におけるワイヤレス通信のための装置であって、
請求項１２ないし１４のいずれか一項に記載のステップを実行するように構成された手段を備える、装置。
【手続補正２】
【補正対象書類名】明細書
【補正対象項目名】０１５１
【補正方法】変更
【補正の内容】
【０１５１】
[0165]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］  基地局におけるワイヤレス通信のための方法であって、
共有無線周波数スペクトル帯域上で第１のダウンリンク送信について受信されたフィードバックを分類することと、ここで、前記フィードバックが複数のフィードバックカテゴリーのうちの１つに分類され、前記分類することが、前記第１のダウンリンク送信についての干渉パラメータに少なくとも部分的に基づく、
後続のダウンリンク送信についての干渉パラメータを識別することと、
前記後続のダウンリンク送信についての前記識別された干渉パラメータに関連するフィードバックカテゴリーに分類されたフィードバックに少なくとも部分的に基づいて、前記後続のダウンリンク送信をスケジュールすることと
を備える、方法。
［Ｃ２］  前記第１のダウンリンク送信についての前記干渉パラメータが、再利用１モードでの送信、または時間領域多重化（ＴＤＭ）モードでの送信のうちの１つを備える、Ｃ１に記載の方法。
［Ｃ３］  前記第１のダウンリンク送信について受信されたフィードバックを分類することが、  前記再利用１モードでの前記第１のダウンリンク送信の送信を備える前記第１のダウンリンク送信についての前記干渉パラメータに少なくとも部分的に基づいて、前記第１のダウンリンク送信について受信されたフィードバックを第１のフィードバックカテゴリーに分類すること
を備える、Ｃ２に記載の方法。
［Ｃ４］  前記ＴＤＭモードでの第２のダウンリンク送信の送信を備える前記第２のダウンリンク送信についての干渉パラメータに少なくとも部分的に基づいて、前記第２のダウンリンク送信についてのフィードバックを第２のフィードバックカテゴリーに分類すること
をさらに備える、Ｃ３に記載の方法。
［Ｃ５］  前記フィードバックが、チャネル状態情報（ＣＳＩ）、または肯定応答／否定応答（ＡＣＫ／ＮＡＣＫ）フィードバック、あるいはそれらの組合せを備える、Ｃ１に記載の方法。
［Ｃ６］  前記後続のダウンリンク送信をスケジュールすることが、
前記後続のダウンリンク送信のための変調およびコーディング方式（ＭＣＳ）を選択すること
を備える、Ｃ１に記載の方法。
［Ｃ７］  前記第１のダウンリンク送信についての前記干渉パラメータを識別すること
をさらに備える、Ｃ１に記載の方法。
［Ｃ８］  前記第１のダウンリンク送信についての前記干渉パラメータを識別することが、
前記第１のダウンリンク送信についての前記フィードバックとともに前記干渉パラメータの指示を受信すること
を備える、Ｃ７に記載の方法。
［Ｃ９］  前記後続のダウンリンク送信についての前記干渉パラメータを識別することが、
少なくとも１つの他の基地局から送信ステータスを受信することと、
前記送信ステータスに少なくとも部分的に基づいて、前記後続のダウンリンク送信についての前記干渉パラメータを識別することと
を備える、Ｃ１に記載の方法。
［Ｃ１０］  前記基地局および前記少なくとも１つの他の基地局が、同じパブリックランドモバイルネットワーク（ＰＬＭＮ）に属する、Ｃ９に記載の方法。
［Ｃ１１］  前記送信ステータスを受信することが、
チャネル使用ビーコン信号（ＣＵＢＳ）、または物理フレームフォーマットインジケータチャネル（ＰＦＦＩＣＨ）、あるいはそれらの組合せを受信すること
を備える、Ｃ９に記載の方法。
［Ｃ１２］  前記複数のフィードバックカテゴリーのうちの各フィードバックカテゴリーについて、別個のハイブリッド自動再送要求（ＨＡＲＱ）フィードバックアウターループまたは別個のチャネル状態情報（ＣＳＩ）フィードバックアウターループのうちの少なくとも１つを維持すること
をさらに備え、
ここにおいて、前記後続のダウンリンク送信が、前記後続のダウンリンク送信についての前記干渉パラメータに関連する前記フィードバックカテゴリーに関連する、ＨＡＲＱフィードバックアウターループとＣＳＩフィードバックアウターループの一方または両方に少なくとも部分的に基づいてスケジュールされる、
Ｃ１に記載の方法。
［Ｃ１３］  前記第１のダウンリンク送信について受信された前記フィードバックを第１のフィードバックカテゴリーに分類すると、第２のフィードバックカテゴリーに関連するハイブリッド自動再送要求（ＨＡＲＱ）フィードバックアウターループ、または前記第２のカテゴリーに関連するチャネル状態情報（ＣＳＩ）フィードバックアウターループのうちの少なくとも１つの少なくとも１つの更新をスキップすること
をさらに備える、Ｃ１に記載の方法。
［Ｃ１４］  基地局におけるワイヤレス通信のための装置であって、
共有無線周波数スペクトル帯域上で第１のダウンリンク送信について受信されたフィードバックを分類するための手段と、ここで、前記フィードバックが複数のフィードバックカテゴリーのうちの１つに分類され、前記分類することが、前記第１のダウンリンク送信についての干渉パラメータに少なくとも部分的に基づく、
後続のダウンリンク送信についての干渉パラメータを識別するための手段と、
前記後続のダウンリンク送信についての前記識別された干渉パラメータに関連するフィードバックカテゴリーに分類されたフィードバックに少なくとも部分的に基づいて、前記後続のダウンリンク送信をスケジュールするための手段と
を備える、装置。
［Ｃ１５］  前記第１のダウンリンク送信についての前記干渉パラメータが、再利用１モードでの送信、または時間領域多重化（ＴＤＭ）モードでの送信のうちの１つを備える、Ｃ１４に記載の装置。
［Ｃ１６］  前記フィードバックが、チャネル状態情報（ＣＳＩ）、または肯定応答／否定応答（ＡＣＫ／ＮＡＣＫ）フィードバック、あるいはそれらの組合せを備える、Ｃ１４に記載の装置。
［Ｃ１７］  前記後続のダウンリンク送信のための変調およびコーディング方式（ＭＣＳ）を選択するための手段
をさらに備える、Ｃ１４に記載の装置。
［Ｃ１８］  前記第１のダウンリンク送信についての前記干渉パラメータを識別するための手段
をさらに備える、Ｃ１４に記載の装置。
［Ｃ１９］  前記第１のダウンリンク送信についての前記フィードバックとともに前記干渉パラメータの指示を受信するための手段
をさらに備える、Ｃ１８に記載の装置。
［Ｃ２０］  少なくとも１つの他の基地局から送信ステータスを受信するための手段と、
前記送信ステータスに少なくとも部分的に基づいて、前記後続のダウンリンク送信についての前記干渉パラメータを識別するための手段と
をさらに備える、Ｃ１４に記載の装置。
［Ｃ２１］  前記複数のフィードバックカテゴリーのうちの各フィードバックカテゴリーについて、別個のハイブリッド自動再送要求（ＨＡＲＱ）フィードバックアウターループまたは別個のチャネル状態情報（ＣＳＩ）フィードバックアウターループのうちの少なくとも１つを維持するための手段
をさらに備え、
ここにおいて、前記後続のダウンリンク送信が、前記後続のダウンリンク送信についての前記干渉パラメータに関連する前記フィードバックカテゴリーに関連する、ＨＡＲＱフィードバックアウターループとＣＳＩフィードバックアウターループの一方または両方に少なくとも部分的に基づいてスケジュールされる、
Ｃ１４に記載の装置。
［Ｃ２２］  前記第１のダウンリンク送信について受信された前記フィードバックを第１のフィードバックカテゴリーに分類すると、第２のフィードバックカテゴリーに関連するハイブリッド自動再送要求（ＨＡＲＱ）フィードバックアウターループ、または前記第２のカテゴリーに関連するチャネル状態情報（ＣＳＩ）フィードバックアウターループのうちの少なくとも１つの少なくとも１つの更新をスキップするための手段
をさらに備える、Ｃ１４に記載の装置。
［Ｃ２３］  ユーザ機器（ＵＥ）におけるワイヤレス通信のための方法であって、
共有無線周波数スペクトル帯域上で受信された第１のダウンリンク送信についての干渉パラメータを識別することと、
前記第１のダウンリンク送信についてのフィードバックを生成することと、
基地局に、前記干渉パラメータの指示と一緒に前記フィードバックを送ることと
を備える、方法。
［Ｃ２４］  前記干渉パラメータを識別することが、
少なくとも１つのネイバリング基地局から送信ステータスを受信することと、
前記送信ステータスに少なくとも部分的に基づいて、前記第１のダウンリンク送信についての前記干渉パラメータを識別することと
を備える、Ｃ２３に記載の方法。
［Ｃ２５］  前記フィードバックとともに前記基地局に、前記少なくとも１つのネイバリング基地局からの前記送信ステータスを送ること
をさらに備える、Ｃ２４に記載の方法。
［Ｃ２６］  前記干渉パラメータを識別することが、
前記第１のダウンリンク送信に関連する信号対雑音比（ＳＮＲ）を測定することと、  前記測定されたＳＮＲに少なくとも部分的に基づいて、前記第１のダウンリンク送信についての前記干渉パラメータを推定することと
を備える、Ｃ２３に記載の方法。
［Ｃ２７］  ユーザ機器（ＵＥ）におけるワイヤレス通信のための装置であって、
共有無線周波数スペクトル帯域上で受信された第１のダウンリンク送信についての干渉パラメータを識別するための手段と、
前記第１のダウンリンク送信についてのフィードバックを生成するための手段と、
基地局に、前記干渉パラメータの指示と一緒に前記フィードバックを送るための手段とを備える、装置。
［Ｃ２８］  少なくとも１つのネイバリング基地局から送信ステータスを受信するための手段と、  前記送信ステータスに少なくとも部分的に基づいて、前記第１のダウンリンク送信についての前記干渉パラメータを識別するための手段と
をさらに備える、Ｃ２７に記載の装置。
［Ｃ２９］  前記フィードバックとともに前記基地局に、前記少なくとも１つのネイバリング基地局からの前記送信ステータスを送るための手段
をさらに備える、Ｃ２７に記載の装置。
［Ｃ３０］  前記第１のダウンリンク送信に関連する信号対雑音比（ＳＮＲ）を測定するための手段と、
前記測定されたＳＮＲに少なくとも部分的に基づいて、前記第１のダウンリンク送信についての前記干渉パラメータを推定するための手段と
をさらに備える、Ｃ２７に記載の装置。